(57)【要約】【課題】安全にかつ十分なカット性で巻回フィルムをカットすることができ巻回フィルム収納箱を提供する。【解決手段】巻回されたフィルムを収納する箱であって、前面板（５）、底面板（４）、後面板（６）および側面板（３）で形成され、上部が開口した直方体の収納室と、後面板（６）の上端縁から収納室の開口部を覆う方向に連接した開閉可能な蓋面板（２）と、蓋面板（２）の前端縁から前面板（５）を覆う方向に延出した掩蓋片（１）とを有する収納箱において、掩蓋片（１）の先端部の裏側に補強部材（９）が取り付けられており、掩蓋片（１）の長手方向の両側端部の少なくとも一方に、該補強部材（９）の一部を露出させる切欠き部（７）が形成されており、該補強部材の露出部分が角部または鋸歯形状部分を有し、補強部材（９）は、該切欠き部から、掩蓋片（１）の長手方向の、該切欠き部に近い端までの区間において、掩蓋片（１）の先端縁（８）から突出していないことを特徴とする前記収納箱。【選択図】図１
2014141263.tif 000002
【特許請求の範囲】
【請求項１】
巻回されたフィルムを収納する箱であって、前面板（５）、底面板（４）、後面板（６）および側面板（３）で形成され、上部が開口した直方体の収納室と、後面板（６）の上端縁から収納室の開口部を覆う方向に連接した開閉可能な蓋面板（２）と、蓋面板（２）の前端縁から前面板（５）を覆う方向に延出した掩蓋片（１）とを有する収納箱において、掩蓋片（１）の先端部の裏側に補強部材（９）が取り付けられており、掩蓋片（１）の先端縁（８）の両側端部の少なくとも一方に、該補強部材（９）の一部を露出させる切欠き部（７）が形成されており、該補強部材の露出部分が角部または鋸歯形状部分を有し、補強部材（９）は、該切欠き部から、掩蓋片（１）の長手方向の、該切欠き部に近い端までの区間において、掩蓋片（１）の先端縁（８）から突出していないことを特徴とする前記収納箱。
【請求項２】
切欠き部（７）が掩蓋片（１）の先端縁（８）に接する２つの点のうち、掩蓋片（１）の先端縁（８）の端に近い点（Ａ）において、先端縁（８）と切欠き部（７）の接線がなす切欠き部の角度θが９０度未満である、請求項１記載の収納箱。
【請求項３】
掩蓋片（１）の長手方向の、切欠き部（７）よりも中央側において補強部材（９）が突出している、請求項１または２記載の収納箱。
【請求項４】
巻回されたフィルムを請求項１〜３の何れか１項記載の収納箱に収納した製品。
【請求項５】
フィルムがラップフィルムであり、その横方向の端部の少なくとも一方に幅０．１〜１０ｍｍのローレット加工および／またはレーザー加工が施されていることを特徴とする、請求項４記載の製品。
【発明の詳細な説明】
【技術分野】
【０００１】
本発明は、一般家庭、食料品販売業、飲食物提供役務等において、主として食品の包装用に汎用されているラップフィルム等のフィルムを巻回したものを収納する箱に関する。
【背景技術】
【０００２】
従来から、ラップフィルム等のフィルムは直方体等の箱に納められて巻回フィルムとして提供されており、ここから必要分量を引出し、何らかの方法で長さ方向に対して横に切断し、使用に供される。横に切断する方法としては、箱の掩蓋片の先端縁等に配備された長尺の鋸歯によるものが最も一般的である。
【０００３】
しかし、掩蓋片の先端縁に配備された鋸歯は手に触れ易く、したがって、手を怪我する等の安全性の問題があり、この問題を解決するために、鋸歯に替えて、異形の金属粉を接着したシートを切断具に用いたり（特許文献１）、巻回フィルムがその長さ方向に連続した加工傷を有し、その加工傷域と接触する箱の局部に金属片やバルカナイズド紙片等の切断補助具を設けたり（特許文献２）することが提案されている。しかし、上述した安全性の問題は依然として残っている。
【０００４】
また、巻回フィルムの横方向の端部に一定間隔で切れ目を設けることにより、鋸歯等の切断具がない箱でも切れ目に沿ってフィルムを切断できる方法が提案されている（特許文献３）。しかし、従来の箱から単に鋸歯を無くしただけの箱では、フィルムのカット性が不十分である。また、箱の一部が切断具の役目を果たすため、巻回フィルムを使い切る前に上記箱の一部が傷んでしまい、フィルムの切断ができなくなってしまうという問題がある。
【先行技術文献】
【特許文献】
【０００５】
【特許文献１】特開昭６１−２１７３４５号公報
【特許文献２】特開平１１−１２４１３３号公報
【特許文献３】特開２００１−３２２６３６号公報
【発明の概要】
【発明が解決しようとする課題】
【０００６】
本発明の目的は、従来の収納箱よりも安全にかつ十分なカット性で巻回フィルムをカットすることができ、かつ収納したフィルムを使い切るまでカット性を維持することのできる巻回フィルム収納箱を提供することである。
【課題を解決するための手段】
【０００７】
本発明者らは、鋭意研究した結果、従来の収納箱において、掩蓋片の裏側に補強部材を取り付け、掩蓋片の先端縁の端部に、補強部材の一部を露出させる切欠き部を形成し、上記露出部分が角Ｐまたは鋸歯形状部分を有するようにすることにより、上記目的を達成することができることを見出した。
【０００８】
すなわち、本発明は、巻回されたフィルムを収納する箱であって、前面板（５）、底面板（４）、後面板（６）および側面板（３）で形成され、上部が開口した直方体の収納室と、後面板（６）の上端縁から収納室の開口部を覆う方向に連接した開閉可能な蓋面板（２）と、蓋面板（２）の前端縁から前面板（５）を覆う方向に延出した掩蓋片（１）とを有する収納箱において、掩蓋片（１）の先端部の裏側に補強部材（９）が取り付けられており、掩蓋片（１）の先端縁（８）の両側端部の少なくとも一方に、該補強部材（９）の一部を露出させる切欠き部（７）が形成されており、該補強部材の露出部分が角部または鋸歯形状部分を有し、補強部材（９）は、該切欠き部から、掩蓋片（１）の長手方向の、該切欠き部に近い端までの区間において、掩蓋片（１）の先端縁（８）から突出していないことを特徴とする前記収納箱である。
【発明の効果】
【０００９】
本発明の収納箱は、収納箱から引き出されたフィルムを、角部Ｐまたは鋸歯形状部分に当てることによりフィルムに切断のきっかけを与えることができ、その結果、フィルムを掩蓋片の先端縁に沿って良好なカット性で切断することができるとともに、角部Ｐおよび鋸歯形状部分は切欠き部内に存在するので、手が角部Ｐ等に触れて怪我をするという心配もない。
【図面の簡単な説明】
【００１０】
【図１】本発明の収納箱の一例を示す斜視図である。
【図２】図１の収納箱の掩蓋片（１）の正面図である。
【図３】図１の収納箱の裏面展開図の一例を示す図である。
【図４】本発明の別の収納箱の掩蓋片（１）を示す正面図である。
【図５】図４の掩蓋片（１）を有する収納箱の裏面展開図の一例を示す図である。
【図６】（ａ）および（ｂ）は、別の掩蓋片（１）の部分拡大正面図である。
【図７】図２の掩蓋片（１）の部分拡大正面図である。
【図８】引裂き強度試験を説明する図である。
【図９】フィルム切断試験を説明する図である。
【図１０】フィルム追従試験を説明する図である。
【図１１】ローレット加工が施されたラップフィルムの表面を写真撮影した図である。
【図１２】レーザー加工が施されたラップフィルムの表面を写真撮影した図である。
【発明を実施するための形態】
【００１１】
本発明の収納箱を、図を参照して説明する。図１は、本発明の収納箱の一例を示す斜視図であり、図２は、図１の収納箱の掩蓋片（１）の正面図である。本発明の収納箱は、前面板（５）、底面板（４）、後面板（６）および側面板（３）で形成され、上部が開口した直方体の収納室と、後面板（６）の上端縁から収納室の開口部を覆う方向に連接した開閉可能な蓋面板（２）と、蓋面板（２）の前端縁から前面板（５）を覆う方向に延出した掩蓋片（１）とを有し、掩蓋片（１）の先端部の裏側に補強部材（９）が取り付けられているとともに、掩蓋片（１）の先端縁（８）の両側端部の少なくとも一方に、補強部材（９）の一部を露出させる切欠き部（７）が形成されている。補強部材（９）の露出部分（９’）は角部Ｐまたは鋸歯形状部分を有する。
【００１２】
本発明の収納箱は、収納箱から引き出されたフィルムを、補強部材（９）の露出部分（９’）の角部Ｐまたは鋸歯形状部分に当てることによりフィルムに切断のきっかけを与えることができ、その結果、フィルムを掩蓋片（１）の先端縁（８）に沿って良好に切断することができる。
【００１３】
図３は、図１の収納箱の裏面展開図の一例を示す図である。補強部材（９）は、図３に示されるように、掩蓋片（１）の先端部の裏側に取り付けられており、かつ、補強部材（９）の一部が、図１および２に示されるように、掩蓋片（１）の切欠き部（７）において露出するように取り付けられている。また、補強部材（９）は、切欠き部（７）から、掩蓋片（１）の長手方向の、該切欠き部に近い端までの区間において、掩蓋片（１）の先端縁（８）から突出していない。なお、図３では、補強部材（９）が掩蓋片（１）の裏面先端部のほぼ全長にわたって取り付けられているが、露出部分（９’）が存在する限り、上記先端部の一部のみに取り付けられていてもよい。
【００１４】
補強部材（９）の上記露出部分（９’）は、切欠き部（７）内に角部Ｐまたは鋸歯形状部分を有する。図１および２は、角部（Ｐ）を有する場合であり、図４は、鋸歯形状部分を有する場合である。角部（Ｐ）は、図１および２に示されるように、切欠き部（７）において掩蓋片（１）の長手方向の中央部側から端部側の方へ補強部材（９）が露出することにより、形成される。露出部分（９’）の大きさおよび形状は、切欠き部（７）内に角部Ｐまたは鋸歯形状部分が形成される限り、特に制限されない。
【００１５】
切欠き部（７）は、掩蓋片（１）の先端縁（８）の両側端部の一方または両方に形成されている。切欠き部（７）は、この内部に補強部材（９）が露出され、かつ露出部分が角部（Ｐ）または鋸歯形状部分を有する限り、どのような形状であってもよい。例えば、図２および４ならびに図６の（ａ）および（ｂ）に示される形状が挙げられる。図６の（ａ）および（ｂ）は、本発明における掩蓋片（１）の端部の別の例を示す部分拡大正面図である。図７は、図２の掩蓋片（１）の一方の端部を拡大した正面図である。切欠き部（７）は、切欠き部（７）が掩蓋片（１）の先端縁（８）に接する２つの点ＡおよびＢのうち、掩蓋片（１）の長手方向の端に近い点Ａにおいて、先端縁（８）と切欠き部（７）の接線がなす切欠き部の角度θが９０度未満であるのが好ましい（図７参照）。角度θは、好ましくは１０度≦θ＜９０度の範囲であり、より好ましくは２０度≦θ≦６０度、さらに好ましくは２０度≦θ≦４５度の範囲である。角度θが９０度未満であると、箱から引き出したフィルムが切欠き部において最初に触れる箇所（点Ａから切欠き部の頂点の方へ向かう部分）が、図７に示されるように傾斜しているので、フィルムをこの傾斜部分に沿ってよりスムーズに角部Ｐまたは鋸歯形状部分に運ぶことができ、その結果、より容易にフィルムを切断することができる。
【００１６】
切欠き部（７）の数は、掩蓋片（１）の先端縁（８）の一方の端部につき、１個または２個以上である。図２は、掩蓋片（１）の先端縁（８）の一方の端部につき、切欠き部（７）が１個の場合であり、図４は２個の場合である。２個以上の場合には、収納箱から引き出されたフィルムを角部Ｐまたは鋸歯形状部分に当てるとき、掩蓋片（１）の長手方向の端に最も近い切欠き部（７）内の角部Ｐまたは鋸歯形状部分に当たり損なっても、その隣の切欠き部（７）内の角部Ｐまたは鋸歯形状部分に当たり得る点で好ましい。しかし、切欠き部が多すぎると、フィルムに切断のきっかけが与えられた後も、フィルムが切欠き部やその内部にある角部Ｐまたは鋸歯形状部分に当たり得るので、切断時に引っかかり感があり、切断のスムーズ性に欠けるという点で好ましくない。これらを考慮すると、切欠き部の数は、掩蓋片（１）の先端縁（８）の一方の端部につき１〜３個であるのが好ましく、最も好ましくは２個である。
【００１７】
切欠き部（７）は、掩蓋片（１）の先端縁（８）の長さをＬとしたとき、掩蓋片（１）の端からＬ／３までの間に角部Ｐまたは鋸歯状部分が存在するような位置に形成されるのが好ましい。より好ましくは、角部Ｐまたは鋸歯状部分が、掩蓋片（１）の端からＬ／４または５０ｍｍの長い方までの間に存在するような位置に切欠き部（７）が形成される。
【００１８】
また、掩蓋片（１）の先端縁（８）の端に最も近い位置にある切欠き部は、この切欠き部の点Ａと掩蓋片（１）の先端縁（８）の端との最短距離をｂとするとき（図７参照）、ｂが３０ｍｍ以下であるのが好ましく、より好ましくは２０ｍｍ以下である。
【００１９】
切欠き部（７）の大きさは、図７に示されるように、切欠き部の開口部の長さ（ＡとＢとの距離）をｗ、掩蓋片（１）の先端縁（８）と切欠き部の頂点との間の距離をｈとするとき、ｗが２０ｍｍ以下であるのが好ましく、より好ましくは１０ｍｍ以下である。ｈは２０ｍｍ以下が好ましく、より好ましくは１０ｍｍ以下である。
【００２０】
掩蓋片（１）の先端縁の一方の端部につき、切欠き部（７）が２個以上存在するとき、それらの形状および大きさは互いに同じでも異なっていてもよい。
【００２１】
本発明の収納箱は、巻回フィルムの収納のために通常用いられる紙、例えば坪量４００〜５００ｇ／ｍ２のコートボール紙等を使用して作ることができる。紙の坪量は、小さいと耐久性に問題が生じ易くなり、大きいとコスト高になる。従って、紙の坪量は、収納するフィルムロールの尺長から必要となる耐久性を勘案して適宜選択される。
【００２２】
補強部材（９）は、収納箱の他の部分を構成するものと同じ紙で構成してもよく、あるいはカット性および箱の強度の補強の点から、膠化繊維（バルカナイズドファイバー）またはそれに樹脂を含浸させたものが好ましい。上記樹脂としては、ウレタン樹脂、フェノール樹脂、メラミン樹脂、エポキシ樹脂、ポリスチレン樹脂、ユリア樹脂、ポリフェニレンスルフィド樹脂などが挙げられる。
【００２３】
補強部材（９）は、掩蓋片（１）の先端部の裏側に接着剤等を使用して取り付けることができる。
【００２４】
掩蓋片（１）の両側端部は互いに対称形であってもなくてもよい。
【００２５】
さらに、本発明の収納箱は、図４に示されるように、掩蓋片（１）の長手方向の、切欠き部よりも中央側において補強部材（９）が突出していてもよい。図５は、図４の掩蓋片（１）を有する収納箱の裏面展開図の一例を示す図である。収納箱から引き出されたフィルムは、角部Ｐまたは鋸歯形状部分によって切断のきっかけが与えられると、その後は掩蓋片（１）の先端縁に沿って切断されるが、図４に示されるように、この先端縁よりもわずかに補強部材（９）が突出していると、フィルムは、この突出部分（９”）に沿って切断され得る。補強部材（９）が、収納箱の他の部分を構成する紙より硬質な材料で構成されているときには、フィルムを突出部分（９”）に沿ってより良好に滑らせることができ、したがって、より容易にフィルムを切断することができる。補強部材（９）が掩蓋片（１）の先端縁から突出する距離は高々５ｍｍが好ましく、より好ましくは高々３ｍｍである。
【００２６】
補強部材（９）の突出部分（９”）は、その先端縁に沿ってフィルムがスムーズに運ばれるならばどのような形状であってもよく、例えば円弧状の先端縁を有するもの（図４参照）や台形状が挙げられる。
【００２７】
本発明の収納箱は巻回したフィルム用であり、巻回したフィルムとしては、ラップフィルム、クッキングシート、アルミホイル、クラフト紙、上質紙およびトレーシングペーパー等が挙げられる。特に、引き裂き強度が０．０１Ｎ以上２．０Ｎ未満のものが好ましい。上記引き裂き強度は、フィルムを引き出し方向が短辺となるように１００ｍｍ×５０ｍｍの大きさに切り取り、図８に示すように、一方の短辺の両端の各々から２０ｍｍのところから垂直に長さ２０ｍｍの切込みを入れ、図８のαの部分とβの部分を、引っ張り試験機を用いて２００ｍｍ／分の速度で引っ張ることにより測定される値である。引裂き強度は、より好ましくは０．１Ｎ以上１．５Ｎ未満、さらに好ましくは０．１Ｎ以上０．５Ｎ未満である。引裂き強度が０．０１Ｎ未満であると、フィルムをロール状に巻いたときに剥離性に劣る場合があり、２．０Ｎ以上であると、カット性に劣る場合がある。
【００２８】
ラップフィルムとしては、例えばポリ塩化ビニリデン、ポリ塩化ビニル、ポリエチレン、ポリメチルペンテン−１およびポリアミド等から選ばれる樹脂からなる単層又は多層のフィルムで全厚みが３〜３０μｍ、典型的には５〜１５μｍ程度のもの、が好適であり、ラップフィルムの長さ方向および横方向の引張破断力がいずれもが１〜１５Ｎ、より好ましくは１〜１０Ｎであるのが好ましい。上記引張破断力は、ＪＩＳ  Ｋ−７１２７に従い、フィルムの引き出し方向が長辺となるようにフィルムを１０ｍｍ×１５０ｍｍの大きさに切り取って試験片とし、試験速度５００ｍｍ／分で測定される値である。
【００２９】
特に、本発明の収納箱は、フィルムの横方向の端部の強度が低くかつ伸びが小さいフィルムの収納に好適に使用できる。このようなフィルムは、具体的には、フィルムの横方向の端部から５０ｍｍの範囲において、フィルムの引き出し方向が長辺となるようにフィルムを１０ｍｍ×５０ｍｍの大きさに切り取って試験片としたときのＪＩＳ  Ｋ７１２７に基づく引張り試験における伸びが７０％以下、好ましくは６０％以下、より好ましくは５０％以下であり、かつ端部破断力が１〜２０Ｎ、好ましくは１〜１０Ｎ、より好ましくは１〜７Ｎ、さらに好ましくは１〜５Ｎであるフィルムである。なお、試験速度は５０ｍｍ／分である。このようなフィルムは、例えば、フィルムの横方向の端部の少なくとも一方に、例えば０．１〜１０ｍｍの幅で、ローレット加工やレーザー加工を施すことにより得ることができる。
【００３０】
ローレット加工は、フィルムを金属製等の彫刻ロールと金属製や高硬度のゴム等の彫刻ロール又は平滑ロールとで挟み込むことにより、あるいはフィルムの巻に該彫刻ロールを押し当てることにより微細なエンボスや傷を入れる加工である。加工条件はフィルムの材質により適宜選択されるべきであるが、通常、押圧は１０〜５０Ｎ／ｍ程度である。ローレット加工が施されたフィルム表面を写真撮影したものを図１１に示す。ローレット加工は、原反製膜時に、スリット加工時に、またはスリット加工後に独立の工程を設けて施すことができる。ローレット加工は、フィルムの横方向の端部の少なくとも一方に施されるが、どちらの側からでも切断出来るように、両方の端部に施すことがより好ましい。加工幅は通常０．１〜１０ｍｍであり、好ましくは０．３〜６ｍｍである。
【００３１】
レーザー加工はレーザーの照射熱により、フィルムを極めて微細な領域において溶融し、そこに凹形状や孔を設ける加工である。使用するレーザーは、特に制限されない。例えば、炭酸ガスレーザー、ヘリウムネオンレーザー、アルゴンイオンレーザーおよびエキシマレーザーなどのガスレーザーや、クロム添加ルビー結晶を媒質に使用したルビーレーザー、チタン添加サファイア結晶を媒質に使用したチタンサファイアレーザー、ＹＡＧ結晶中のイットリウムを他の希土類元素で置換した種々のＹＡＧレーザーおよびネオジム添加ＹＡＧを用いたＮｄ：ＹＡＧレーザーなどの固体レーザーが挙げられる。また、液体レーザー、半導体レーザー、自由電子レーザー、金属蒸気レーザー、化学レーザー等の公知のレーザーを使用することができる。照射出力は、０．５〜２０Ｗ程度であり、フィルムの肉厚や加工速度を勘案して適宜調節する。レーザー加工が施されたフィルム表面を写真撮影したものを図１２に示す。レーザー加工は、原反製膜時に、スリット加工時に、またはスリット加工後に独立の工程を設けて施すことができる。レーザー加工は、フィルムの横方向の端部の少なくとも一方に施されるが、どちらの側からでも切断出来るように、両方の端部に施すことがより好ましい。加工幅は通常０．１〜１０ｍｍであり、好ましくは０．３〜６ｍｍである。
【００３２】
また、ローレット加工やレーザー加工を施すと、巻回フィルムの引出端が巻き本体に強く密着して引き出せなくなるというトラブルの防止効果を得ることもできる。
【００３３】
また、本発明の収納箱は、横切性に優れるフィルムの収納にも有用である。横切性は、以下に述べる切断ずれ量（δ）によって直接的に示される。切断ずれ量（δ）を測定するためのフィルム切断試験は、図９に示すように行われる。すなわち、辺α（長さ３００ｍｍ）および辺β（長さ２２０ｍｍ）を有する長方形の試験片を用意し（ここで、辺αはフィルムの長さ方向と平行である）、一方の辺αの中央部に長さ３ｍｍの切込みを入れ、切込みを入れた辺α側の両隅を人の手で引張ってフィルムを切断する。切断したときのフィルムの切断線と、切込みから他方の辺αに垂直に降ろした基準線との乖離の最大値（単位：ｍｍ）が切断ずれ量（δ）である。
【００３４】
上記横切性に優れるフィルムとは、上記切断ずれ量（δ）が３０ｍｍ以下、好ましくは２０ｍｍ以下、より好ましくは１０ｍｍ以下、最も好ましくは５ｍｍ以下であるフィルムである。
【００３５】
さらに、本発明の収納箱は、追従性に優れるフィルムの収納にも有用である。追従性は、以下に述べる追従ずれ量によって示される。追従ずれ量を測定するためのフィルム追従試験は、図１０に示すように行われる。すなわち、フィルムを、引き出し方向が長辺となるように３００ｍｍ×２２０ｍｍの大きさに切り取り、一方の長辺の、端部から５０ｍｍのところに５ｍｍの切込みを入れる。Ｒ２４００（単位ｍｍ）のステンレス板を、その円弧状の縁の端部が上記切込みと一致するようにフィルムの上に置き、ステンレス板を片方の手で押え、他方の手でフィルムの上記切込み付近を持ち、フィルムを上記切込みの部分からステンレス板の上記縁に沿って切断する。切断するとき、フィルムを、ステンレス板側に、ステンレス板から４５度の角度になるように倒してステンレス板の上記縁に当たるようにする。切断したときのフィルムの切断線と、ステンレス板の上記縁との乖離の最大値（単位：ｍｍ）が追従ずれ量である。
【００３６】
上記追従性に優れるフィルムとは、上記追従ずれ量が５０ｍｍ未満、好ましくは３５ｍｍ未満、より好ましくは１０ｍｍ未満、さらに好ましくは５ｍｍ未満であるフィルムである。
【実施例】
【００３７】
以下、実施例に基づいて本発明を具体的に説明するが、本発明は以下の実施例に限定されるものではない。
【００３８】
実施例１〜９および比較例１〜４
図１に示される形状の収納箱において、掩蓋片（１）の長手方向の一方の端部が図６の（ａ）（タイプＡという）または（ｂ）（タイプＢという）の形状の切欠き部を１個有し、切欠き部内に補強部材９の一部（９’）が露出して角部Ｐを有し、掩蓋片（１）の長手方向の両方の端部が互いに対称形である、縦４５ｍｍｘ横４５ｍｍｘ長さ３１０ｍｍの収納箱を作製した。タイプＡの切欠き部は、ｈ＝４ｍｍ、ｂ＝１０ｍｍ、ｗ＝７ｍｍ、θ＝３０度であり、タイプＢの切欠き部は、ｈ＝４ｍｍ、ｂ＝１０ｍｍ、ｗ＝７ｍｍ、θ＝９０度である。上記箱の補強部材以外は、片面コートされたコートボール紙（厚紙の坪量４５０ｇ／ｍ２  ）で構成し、補強部材は、バルカナイズドファイバーに樹脂を含浸させたもので構成した。なお、比較例１〜４では、タイプＢの形状の切欠き部を有するが、切欠き部内に補強部材９の一部（９’）が露出しておらず、したがって角部Ｐを有しない収納箱を作製した。また、実施例２、４〜６、８および９ならびに比較例１および３の収納箱は、図４に示されるように、掩蓋片（１）の先端縁（８）から補強部材（９）が突出して、突出部分（９”）を有する。突出部分（９”）の先端縁（８）からの最大距離は３ｍｍである。
【００３９】
試験
上記のようにして得た収納箱に、巻回されたフィルム（幅３００ｍｍ、長さ２０ｍのフィルムを、幅３０５ｍｍ、内径２７ｍｍ、肉厚１．５ｍｍの紙管に巻いたもの）を収納し、下記に示すカット性の試験を行った。結果を表１に示す。
【００４０】
なお、収納したフィルムは以下の通りである。
ＴＰＸ：ポリ４−メチルペンテン−１（三井化学株式会社製）を主原料とするラップフィルム、厚み１０μｍ、引裂き強度０．２６Ｎ、端部破断力４．４Ｎ、切断ずれ量３．８ｍｍ、追従ずれ量５ｍｍ
ＰＶＤＣ：旭化成ホームプロダクツ（株）製のサランラップ（登録商標）（ポリ塩化ビニリデン（ＰＶＤＣ）フィルム）、厚み１０μｍ、引裂き強度０．０２２Ｎ、端部破断力９．４Ｎ、切断ずれ量１２．７ｍｍ、追従ずれ量３３ｍｍ
ＰＥ：宇部フィルム（株）製のポリラップ（商品名）（ポリエチレン（ＰＥ）フィルム）、厚み１１μｍ、引裂き強度１．７６Ｎ、端部破断力３Ｎ、切断ずれ量２６．６ｍｍ、追従ずれ量４９ｍｍ
アルミホイル：東洋アルミエコープロダクツ（株）製の抗菌クッキングホイル（商品名）、厚み１１μｍ、引裂き強度０．２８Ｎ、端部破断力６Ｎ、切断ずれ量２４．３ｍｍ、追従ずれ量０ｍｍ
クッキングシート：旭化成ホームプロダクツ（株）製のクックパー  オーブン・電子レンジにクッキングシート（商品名）、厚み５０μｍ、引裂き強度１．２Ｎ、端部破断力１７Ｎ、切断ずれ量２０．４ｍｍ、追従ずれ量２ｍｍ
【００４１】
カット性試験（１）
収納されたフィルムを収納箱から約４０ｃｍ引出し、蓋を閉じた状態で、フィルムを切断する試験を５０回試みた。切断できた回数により以下のように評価した。
◎  ３６〜５０回
○  ２１〜３５回
△  １１〜２０回
×  １０回以下
【００４２】
カット性試験（２）
収納されたフィルムを収納箱から約４０ｃｍ引出し、蓋を閉じた状態で、フィルムを切断する試験を１０回行い、切断の途中で引っかかりを感じることなくスムーズに切断できた回数により以下のように評価した。
◎  ９〜１０回
○  ６〜８回
△  ３〜５回
×  ２回以下
【００４３】
耐久性試験
収納されたフィルムを収納箱から約４０ｃｍ引出し、蓋を閉じた状態で、フィルムを切断する試験を１００回行い、箱が歪みカットしにくくなるまでの回数を試験し、以下のように評価した。
◎  ９１回以上
○  ７６〜９０回
△  ５１〜７５回
×  ５０回以下
【００４４】
【表１】
2014141263.tif 000003
【符号の説明】
【００４５】
１：掩蓋片
２：蓋面板
３：側面版
４：底面板
５：前面板
６：後面板
７：切欠き部
８：掩蓋片の先端縁
９：補強部材
９’：補強部材の露出部分
９”：補強部材の突出部分
【図１】
2014141263.tif 000004
【図２】
2014141263.tif 000005
【図３】
2014141263.tif 000006
【図４】
2014141263.tif 000007
【図５】
2014141263.tif 000008
【図６】
2014141263.tif 000009
【図７】
2014141263.tif 000010
【図８】
2014141263.tif 000011
【図９】
2014141263.tif 000012
【図１０】
2014141263.tif 000013
【図１２】
2014141263.tif 000014
【図１１】
2014141263.tif 000015